(57)【要約】【課題】シート上に描かれたカラー画像から枠線のみのぬり絵画像を作成することができるぬり絵原稿作成装置を提供する。【解決手段】シート上に描かれたカラー画像を読み取る画像読取部２と、この画像読取部２で読み取った画像データから前記カラー画像の色エッジ部及び色相を検出し、該カラー画像を該色相の枠線のみの画像に変換することによりぬり絵画像データを形成する画像処理制御部３と、前記ぬり絵画像データに基づいて印刷用ヘッド５により印刷シートに前記色相の枠線を印刷する画像印刷部４を備えた。【選択図】図１
2010081044.tif 000002
【特許請求の範囲】
【請求項１】
シート上に描かれたカラー画像を読み取り、カラー画像データに変換する画像読取部と、
該カラー画像データから色相の境目となる色エッジ部を検出して、該色エッジ部を枠線とする枠線データに変換しつつ、該画像データから色相のデータを削除し、該カラー画像データを該枠線のみのぬり絵画像データに変換する画像処理制御部と、
該ぬり絵画像データに基づいて印刷シート上にぬり絵画像を印刷する画像印刷部とを備えたことを特徴とするぬり絵原稿作成装置。
【請求項２】
請求項１に記載のぬり絵原稿作成装置であって、
前記画像処理制御部は、前記色エッジ部を検出する際に、該色エッジ部を形成する色相を検出し、前記枠線データに変換する際に、前記枠線が当該色相の色からなるデータに変換することを特徴とするぬり絵原稿作成装置。
【請求項３】
請求項２に記載のぬり絵原稿作成装置であって、
前記色エッジ部が２つの色相の境目で構成された際には、
一方の色相によって前記枠線データが変換され、
他方の色相について、該当する色相領域内に当該色相からなり、該色エッジ部に沿った外形線の外形線データを作成することを特徴とするぬり絵原稿作成装置。
【発明の詳細な説明】
【技術分野】
【０００１】
本発明は、シート上に描かれたカラー画像から枠線のみのぬり絵画像を作成して印刷するぬり絵原稿作成装置に関する。
【背景技術】
【０００２】
近年、画像読取装置にあっては、シート上に描かれたカラー画像を読み取って印刷するのみならず、読み取った画像データを様々な用途のために加工してから印刷シート上に印刷するものが提案されている。
【０００３】
この種の従来技術に関連するものとして、例えば、特許文献１に記載されているものが提案されている。この画像読取装置１００は、図５に示すように、シート上に描かれた原稿画像を複数色、例えば赤色Ｒ、緑色Ｇ及び青色Ｄに色分解して読み取る画像読み取りセンサ（ＣＣＤセンサ）１０１と、画像読み取りセンサ１０１から出力されるアナログ電圧値をディジタル電圧値に変換するＡ／Ｄ変換器１０５，１３１，１３２と、Ａ／Ｄ変換器１０５，１３１，１３２からの各出力に対し、各画素毎の感度ばらつきを補正するシェーディング補正部１０６，１４１，１４２と、シェーディング補正の際、及び出力線１１０，１１１，１１２を介してホストコンピュータまたはプリンタ等へ画像を出力する際の転送速度調整を行うラインメモリ１０７，１０８，１０９と、色ずれを検知するための出力線１１３，１１４，１１５を選択的に切り替えるセレクタ１１６と、分解した原稿画像の複数色の色エッジ部を検出する色エッジ検出部１１７と、色エッジ検出部１１７の検出結果に基づき他の色とのエッジ発生ラインまたは画素のずれ量を演算処理し補正するＣＰＵ１２０とを有する。
【０００４】
色エッジ検出部１１７は、エッジ強調処理フィルタ１１７ａ、閾値演算器１１７ｂ、及び比較器１１７ｃを備えると共に、出力線１１８を介してセレクタ１１６に接続され、各色のラインメモリ１０７，１０８，１０８から選択的に取り込んだ画像データに対してエッジ強調処理フィルタ１１７ａでエッジ強調処理を施して比較器１１７ｃへ出力し、閾値演算器１１７ｂからの閾値と比較することにより、色エッジ部を検出するようになっている。また、色エッジ検出部１１７は、上記のようにＲ成分用ラインメモリ１０７の色信号またはＧ成分用ラインメモリ１０８の色信号またはＢ成分用ラインメモリ１０９の色信号を元に、色の色エッジ部を検出した後、出力線１１９を介して色エッジ部のライン位置を示す情報をＣＰＵ１２０へ出力する。ＣＰＵ１２０は、Ｒ成分用ラインメモリ１０７、Ｇ成分用ラインメモリ１０８、Ｂ成分用ラインメモリ１０９に対し、制御線１２１を介して色ずれ分の補正を設定する指令を出力する。
【０００５】
上記構成では、色エッジ検出部１１７で原稿画像の色エッジ部を検知し、原稿画像の複数色の色ずれ量を検知して補正することにより、読み取り解像度に依存することなく高精度の補正が可能である。
【０００６】
また、特許文献２に記載されているものも提案されている。この画像読取装置２００は、図６に示すように、ＣＰＵ２０１，プログラムメモリ２０２、シューディングメモリ２０３、ワークメモリ２０４、画像メモリ２０５、操作パネル２０６，ＵＳＢ制御部（画像データ出力部）２０７、スキャナ部２０８、パラメータメモリ２０９、基準画像メモリ２１０、及びメモリカードドライブ２１１が、互いに双方向コモンパス２１２にて接続されている。
【０００７】
スキャナ部２０８は、原稿画像に光を当て、その反射光を検出するイメージセンサ部２１３と、イメージセンサ部２１３を原稿上にて走査させるモータ２１４及びモータ制御部２１５と、双方向コモンパス２１２に接続されるＩ／Ｏ部２１６及びＡ／Ｄ変換部２１７とを備えている。イメージセンサ部２１３の光源・位置は、ＣＰＵ２０１によりＩ／Ｏ部２１６を介して制御され、イメージセンサ部２１３で検出されたアナログ画像情報信号は、Ａ／Ｄ変換部２１７でディジタル化され、画像メモリ２０５に保存される。
【０００８】
上記構成では、ＵＳＢ制御部２０７から基準画像データを送信して印刷装置で印刷媒体上に基準媒体の印刷画像を印刷し、該印刷画像をスキャナ部２０８で読み取って得た画像データを補正用画像データとして用いて、スキャナ部２０８で読み取ってディジタル化した原稿画像データを、印刷媒体上で所望の大きさまたは所望のレイアウトにて印刷されるように補正する。これにより、使用者の意図した大きさまたはレイアウトにて画像を手軽に印刷することができる。
【特許文献１】特開２０００−１１５５６０号公報
【特許文献２】特開２００７−１４３１０９号公報
【発明の開示】
【発明が解決しようとする課題】
【０００９】
しかしながら、特許文献１に記載されている従来技術では、シート上に描かれたカラー画像から読み取った画像データに基づいて、原稿画像の複数色の色ずれ量を検知して補正することにより高精度の補正を行なうことはできるが、シート上に描かれたカラー画像から枠線のみのぬり絵画像を作成することに関しては考慮されていなかった。また、特許文献２に記載されている従来技術でも、シート上に描かれたカラー画像を読み取り、印刷媒体上で所望の大きさまたは所望のレイアウトにて印刷されるように補正することはできるが、シート上に描かれたカラー画像から枠線のみのぬり絵画像を作成することに関しては考慮されていなかった。
【００１０】
なお、一般にぬり絵は、様々な図形や模様の輪郭を表す枠線が描かれたものであり、利用者は上記枠線内の余白スペースに色を塗ってぬり絵を楽しむようになっている。
【００１１】
そこで、本発明は、シート上に描かれたカラー画像から枠線のみのぬり絵画像を作成することができるぬり絵原稿作成装置を提供することを目的とする。
【課題を解決するための手段】
【００１２】
上記目的を達成する請求項１の発明は、シート上に描かれたカラー画像を読み取り、カラー画像データに変換する画像読取部と、該カラー画像データから色相の境目となる色エッジ部を検出して、該色エッジ部を枠線とする枠線データに変換しつつ、該画像データから色相のデータを削除し、該カラー画像データを該枠線のみのぬり絵画像データに変換する画像処理制御部と、該ぬり絵画像データに基づいて印刷シート上にぬり絵画像を印刷する画像印刷部とを備えたことを特徴とする。
【００１３】
請求項２の発明は、請求項１に記載のぬり絵原稿作成装置であって、前記画像処理制御部は、前記色エッジ部を検出する際に、該色エッジ部を形成する色相を検出し、前記枠線データに変換する際に、前記枠線が当該色相の色からなるデータに変換することを特徴とする。
【００１４】
請求項３の発明は、請求項２に記載のぬり絵原稿作成装置であって、前記色エッジ部が２つの色相の境目で構成された際には、一方の色相によって前記枠線データが変換され、他方の色相について、該当する色相領域内に当該色相からなり、該色エッジ部に沿った外形線の外形線データを作成することを特徴とする。
【発明の効果】
【００１５】
請求項１の発明によれば、所定の読取位置にシートを配置すると共に、印刷シートをセットした状態で、画像読取部の動作を開始すると、シート上に描かれたカラー画像を画像読取部が読み取り、画像処理制御部がシートの画像データからカラー画像の色エッジ部を検出して、前記カラー画像を枠線のみの画像に変換することにより、ぬり絵画像データを形成し、このぬり絵画像データに基づいて画像印刷部により印刷シートに前記枠線を印刷する。これによって、シート上に描かれたカラー画像から枠線のみのぬり絵画像を作成して印刷シートに印刷することができる。
【００１６】
請求項２の発明によれば、請求項１の発明の効果に加え、画像処理制御部がカラー画像の色相を検出して、該色相の枠線のみの画像に変換することにより、ぬり絵画像データを形成すると共に、このぬり絵画像データに基づいて画像印刷部が印刷シートに前記色相の枠線を印刷する。これにより、各カラー画像の色相にそれぞれ対応する色相の枠線が印刷シート上に印刷されるので、利用者は枠線内の余白スペースに各カラー画像の色相の色を塗ってぬり絵を楽しむことができ、その際に元のカラー画像の色相を確認する手間を省くことができる。
【００１７】
請求項３の発明によれば、請求項２の発明の効果に加え、複雑な色彩のカラー画像を元にしても、容易に元のカラー画像が再現できる塗り絵画像を作成することができる。
【発明を実施するための最良の形態】
【００１８】
本発明の実施形態について図面を参照して詳細に説明する。図１は、本発明の第１実施形態に係るぬり絵原稿作成装置を示すブロック図、図２は、本実施形態によりぬり絵原稿を作成する工程を説明する図で、図２（ａ）は、カラー画像が描かれたシートを示す図、図２（ｂ）は、ぬり絵原稿が印刷された印刷シートを示す図である。
【００１９】
図１及び図２に示すように、本実施形態のぬり絵原稿作成装置１は、紙などのシート９上に描かれたカラー画像１０，１１，１２を読み取る画像読取部（スキャナ）２と、ぬり絵画像データを形成する画像処理制御部３と、前記ぬり絵画像データに基づいて印刷紙などの印刷シート１３に枠線１０ｂ，１１ｂ，１１ｃ，１２ｂを印刷する画像印刷部（印刷エンジン）４と、この画像印刷部４の制御により印刷シート１３上にインクを噴射するカラー印刷用ヘッド５と、印刷シート１３を給紙する給紙部６と、印刷シート１３を搬送する搬送部７と、印刷シート１３を排紙する排紙部８を備えている。
【００２０】
画像読取部２は、例えば、図２（ａ）に示すシート９上に描かれた緑色の円形カラー画像１０と、赤色の長方形カラー画像１１と、この長方形カラー画像１１内に重なって配置される青色の三角形カラー画像１２を読み取り、カラー画像データに変換するようになっている。なお、図２（ａ）では説明のため緑色の円形カラー画像１０に破線のハッチングを施し、赤色の長方形カラー画像１１に実線のハッチングを施し、青色の三角形カラー画像１２に二点鎖線のハッチングを施してある。また、画像読取部２は、前述した特許文献２に記載されている従来技術のスキャナ部２０８と同様の構成であり、詳しい説明を省略する。
【００２１】
画像処理制御部３は、画像読取部２で読み取ったシート９のカラー画像データからカラー画像１０〜１２の色エッジ部１０ａ，１１ａ，１２ａを検出すると共に、カラー画像１０〜１２の色相を検出して、カラー画像１０〜１２を該色相の枠線のみの画像に変換し、さらに、緑色、赤色、青色の各色相領域内の色相データを削除することにより、ぬり絵画像データを形成する。色エッジ部１０ａは、円形カラー画像１０の緑色の色相とシート９の地色との境目なので、枠線データは緑色に設定される。色エッジ部１１ａは、長方形カラー画像１１の赤色とシート９の地色との境目なので、枠線データは赤色に設定される。色エッジ部１２ａは、長方形カラー画像１１の赤色と三角形カラー画像１２の青色との境目なので、一方の色相の色である赤色に設定されている。また、三角形カラー画像１２の色相領域内には、他方の色相である青色からなる色エッジ部に沿った外形線である枠線１２ｂが設定されている。
【００２２】
なお、画像処理制御部３は、前述した特許文献１に記載されている従来技術において色エッジ検出部１１７で原稿画像の色エッジ部を検知する場合と同様の構成であり、詳しい説明を省略する。
【００２３】
画像印刷部４は、画像処理制御部３で形成したぬり絵画像データに基づき、カラー印刷用ヘッド５により、図２（ｂ）の印刷シート１３に前記色相の枠線１０ｂ，１１ｂ、１１ｃ，１２ｂを印刷する。
【００２４】
上記実施形態にあっては、所定の読取位置にシート９を配置して給紙部６に印刷シート１３をセットした状態で、読取動作を開始すると、シート９上に描かれたカラー画像１０〜１２を画像読取部２により読み取り、画像処理制御部３により、シート９の画像データからカラー画像１０〜１２の色エッジ部１０ａ，１１ａ，１２ａを検出すると共に、カラー画像１０〜１２の色相を検出し、該色相の枠線のみの画像に変換することにより、ぬり絵画像データを形成する。また、印刷シート１３を給紙部６より給紙して搬送部７を介して搬送すると共に、画像印刷部４の制御に応じて、搬送部７の近傍に配置されるカラー印刷用ヘッド５によって、印刷シート１３上に枠線１０ｂ，１１ｂ、１１ｃ，１２ｂを印刷した後、排紙部８により印刷シート１３を排紙する。
【００２５】
以上、説明したように、本発明によれば、シート９上に描かれたカラー画像１０〜１２から枠線１０ｂ，１１ｂ，１１ｃ，１２ｂのみのぬり絵画像を作成して印刷シート１３上に印刷することができる。
【００２６】
また、本発明によれば、カラー画像１０〜１２の色相にそれぞれ対応する色相の枠線１０ｂ，１１ｂ，１１ｃ，１２ｂが印刷シート１３上に印刷されるので、利用者は枠線１０ｂ，１１ｂ，１１ｃ，１２ｂ内の余白スペースに各カラー画像１０〜１２の色相の色を塗ってぬり絵を楽しむことができ、その際に元のカラー画像１０〜１２の色相を確認する手間を省くことができる。
【００２７】
図３は、本発明の第２実施形態に係るぬり絵原稿作成装置を示すブロック図、図４は、本実施形態によりぬり絵原稿を作成する工程を説明する図で、図４（ａ）は、カラー画像が描かれたシートを示す図、図４（ｂ）は、ぬり絵原稿が印刷された印刷シートを示す図である。なお、図３及び図４において前述した図１及び図２に示すものと同等のものには同一符号を付してある。
【００２８】
図３及び図４に示すように、本実施形態のぬり絵原稿作成装置１Ａは、画像処理制御部３から出力されるぬり絵画像データに基づいて単色、例えば黒色をカラー印刷用ヘッド５Ａにより、図４（ｂ）の印刷シート１３に黒色の枠線１０ｃ，１１ｄ，１２ｃを印刷する画像印刷部４Ａとを有している。これらのうち枠線１０ｃは、緑色の円形カラー画像１０の外枠線であり、枠線１１ｄは、赤色の長方形カラー画像１１の外枠線（長方形）であり、もう１つの枠線１２ｃは、青色の三角形カラー画像１２の外枠線である。
【００２９】
上記実施形態にあっては、所定の読取位置にシート９を配置して給紙部６に印刷シート１３をセットした状態で、読取動作を開始すると、シート９上に描かれたカラー画像１０〜１２を画像読取部２により読み取り、画像処理制御部３により、シート９の画像データからカラー画像１０〜１２の色エッジ部１０ａ，１１ａ，１２ａを検出して、枠線のみの画像に変換することにより、ぬり絵画像データを形成する。また、印刷シート１３を給紙部６より給紙して搬送部７を介して搬送すると共に、画像印刷部４Ａの制御に応じて、搬送部７の近傍に配置されるカラー印刷用ヘッド５Ａから黒色インクを噴射することによって、印刷シート１３上に黒色の枠線１０ｃ，１１ｄ，１２ｃを印刷した後、排紙部８により印刷シート１３を排紙する。
【００３０】
以上、説明したように、本発明によれば、シート９上に描かれたカラー画像１０〜１２から枠線１０ｃ，１１ｄ，１２ｃのみのぬり絵画像を作成することができると共に、印刷シート１３上に印刷される枠線１０ｃ，１１ｄ，１２ｃが単色であるので、比較的安い費用でぬり絵画像を作成することができる。
【００３１】
以上、本発明の好適な実施形態について説明したが、本発明は上記実施形態には限定されず、種々の変形が可能である。
【００３２】
例えば、上記第１及び第２実施形態では、シート９上に緑色の円形カラー画像１０、赤色の長方形カラー画像１１、及び青色の三角形カラー画像１２が描かれた場合を例示したが、他の形状及び他の色相のカラー画像であっても同様である。
【００３３】
また、上記第１実施形態では、カラー画像１０〜１２の色相にそれぞれ対応する色相の枠線１０ｂ，１１ｂ，１１ｃ，１２ｂを印刷シート１３上に印刷するようにしたが、多色相のぬり絵画像を印刷する代わりに、カラー画像１０〜１２の色相に近似する代表的な色相で印刷することができ、例えば、代表的な色相を１２色に限定することもできる。
【００３４】
また、上記第２実施形態では、単色として黒色でぬり絵画像を印刷するようにしたが、黒色の代わりに、他の単色でぬり絵画像を印刷することもできる。
【００３５】
また、上記第２実施形態のように、色エッジ部を黒色の枠線とし、緑色、赤色、青色の各色相領域内に枠線１２ｃのような色エッジ部に沿った外形線を設定し、印刷してもよい。
【図面の簡単な説明】
【００３６】
【図１】本発明の第１実施形態に係るぬり絵原稿作成装置を示すブロック図である。
【図２】本実施形態によりぬり絵原稿を作成する工程を説明する図で、（ａ）はカラー画像が描かれたシートを示す図、（ｂ）はぬり絵原稿が印刷された印刷シートを示す図である。
【図３】本発明の第２実施形態に係るぬり絵原稿作成装置を示すブロック図である。
【図４】本実施形態によりぬり絵原稿を作成する工程を説明する図で、（ａ）はカラー画像が描かれたシートを示す図、（ｂ）はぬり絵原稿が印刷された印刷シートを示す図である。
【図５】従来の画像読取装置を示すブロック図である。
【図６】従来の他の画像読取装置を示すブロック図である。
【符号の説明】
【００３７】
１，１Ａ…ぬり絵原稿作成装置、２…画像読取部、３…画像処理制御部、４…画像印刷部、９…シート、１０，１１，１２…カラー画像、１３…印刷シート、１０ａ，１１ａ，１２ａ…色エッジ部、１０ｂ，１１ｂ，１１ｃ，１２ｂ…枠線、１０ｃ，１１ｄ，１２ｃ…枠線
【図１】
2010081044.tif 000003
【図２】
2010081044.tif 000004
【図３】
2010081044.tif 000005
【図４】
2010081044.tif 000006
【図５】
2010081044.tif 000007
【図６】
2010081044.tif 000008